(57)【特許請求の範囲】
【請求項１】
合焦に際して移動するフォーカスレンズユニットと、合焦状態を検出する合焦状態検出手段とを備え、該合焦状態検出手段の検出結果に基づいて前記フォーカスレンズユニットを駆動する自動合焦機能を有するレンズ装置であって、
前記レンズ装置に接続された操作ユニットが、前記自動合焦機能を有効とするか無効とするかを操作する自動合焦操作機能を有するか否かを判別する判別手段と、
前記判別手段が、前記操作ユニットが前記自動合焦操作機能を有しないと判別した場合には、前記操作ユニットが有する操作手段に対して、前記自動合焦操作機能を割り当てる割当て手段と、
を備えることを特徴とするレンズ装置。
【請求項２】
前記フォーカスレンズユニットを駆動するための駆動信号を生成するフォーカス制御手段を備え、
前記割当て手段は、前記操作手段から受信した第１操作信号に基づいて、前記自動合焦機能を有効とするか無効とするかを操作するための第２操作信号を生成し、該第２操作信号を前記フォーカス制御手段に送信することを特徴とする請求項１に記載のレンズ装置。
【請求項３】
前記操作ユニットが有する操作手段に対して、前記自動合焦操作機能を割り当てる割当て手段と、
前記割当て手段により前記自動合焦操作機能を割り当てられた前記操作手段からの信号を、前記自動合焦機能を有効とするか無効とするかを操作するための信号に変換する信号変換手段と、
を備えることを特徴とする請求項１に記載のレンズ装置。
【請求項４】
請求項１乃至３の何れか１項に記載のレンズ装置と、
前記レンズ装置が形成する被写体の像を受光する撮像素子と、
を備えることを特徴とする撮像装置。
【請求項５】
合焦に際して移動するフォーカスレンズユニットと、合焦状態を検出する合焦状態検出手段とを備え、該合焦状態検出手段の検出結果に基づいて前記フォーカスレンズユニットを駆動する自動合焦機能を有するレンズ装置に接続される自動合焦操作装置であって、
前記自動合焦操作装置に接続された操作ユニットが、前記自動合焦機能を有効とするか無効とするかを操作する自動合焦操作機能を有するか否かを判別する判別手段と、
前記判別手段が、前記操作ユニットが前記自動合焦操作機能を有しないと判別した場合には、前記操作ユニットが有する操作手段に対して、前記自動合焦機能を割り当てる割当て手段と、
を備えることを特徴とする自動合焦操作装置。
【請求項６】
前記割当て手段は、前記操作手段から受信した第１操作信号に基づいて、前記自動合焦機能を有効とするか無効とするかを操作するための第２操作信号を生成し、該第２操作信号を前記レンズ装置に送信することを特徴とする請求項５に記載の自動合焦操作装置。
【請求項７】
前記操作ユニットが有する操作手段に対して、前記自動合焦操作機能を割り当てる割当て手段と、
前記割当て手段により前記自動合焦操作機能を割り当てられた前記操作手段からの信号を、前記自動合焦機能を有効とするか無効とするかを操作するための信号に変換する信号変換手段と、
を備えることを特徴とする請求項５に記載の自動合焦操作装置。
【請求項８】
合焦に際して移動するフォーカスレンズユニットと、合焦状態を検出する合焦状態検出手段とを備え、該合焦状態検出手段の検出結果に基づいて前記フォーカスレンズユニットを駆動する自動合焦機能を有するレンズ装置に接続される自動合焦操作装置であって、
前記自動合焦機能を有効とするか無効とするかを操作する自動合焦操作手段と、
前記自動合焦操作装置に接続された操作ユニットが、前記自動合焦機能を有効とするか無効とするかを操作する自動合焦操作機能を有するか否かを判別する判別手段と、を備え、
前記判別手段が、前記操作ユニットが前記自動合焦操作機能を有しないと判別した場合には、前記自動合焦操作手段を機能させる、ことを特徴とする自動合焦操作装置。
【請求項９】
合焦に際して移動するフォーカスレンズユニットと、合焦状態を検出する合焦状態検出手段とを備え、該合焦状態検出手段の検出結果に基づいて前記フォーカスレンズユニットを駆動する自動合焦機能を有するレンズ装置と、
請求項５乃至８の何れか１項に記載の自動合焦操作装置と、
前記レンズ装置が形成する被写体の像を受光する撮像素子と、
を備えることを特徴とする撮像装置。
【発明の詳細な説明】
【技術分野】
【０００１】
本発明は、自動合焦操作機能を有するレンズ装置及び自動合焦操作装置並びに撮像装置に関するものである。
【背景技術】
【０００２】
従来、オートフォーカス機能を有するレンズの操作装置の一例として、特許文献１に記載されている操作装置が挙げられる。この特許文献１のフォーカスデマンドは、オートフォーカス操作とマニュアルフォーカス操作の切換えスイッチや、オートフォーカス時のフォーカス速度を指示するスイッチなどオートフォーカス操作に必要な操作部を備えている。このように、オートフォーカス機能を持つレンズ装置を操作するためには、オートフォーカス機能に対応した専用の操作部を持つフォーカスデマンドが必要とされている。
【０００３】
また、オートフォーカス機能の操作をズームデマンドで行いたい場合にも、ズームデマンドにオートフォーカス機能専用の操作部を設ける必要がある。
【先行技術文献】
【特許文献】
【０００４】
【特許文献１】特開２００５−２９２７７９号公報
【発明の概要】
【発明が解決しようとする課題】
【０００５】
しかしながら、操作者の好みに応じて、フォーカスデマンド或いはズームデマンドの何れでもオートフォーカス操作を可能にしようとすると、オートフォーカス機能に対応していない従来のデマンドが使用できなくなってしまう、という課題があった。
【０００６】
また、この特許文献１では、焦点検出に用いる信号周波数の選択装置を通して、フォーカスデマンドとは別体の操作装置が提案されている。しかしながら、レンズ本体と接続するためのコネクタ等が必要となるため、レンズ本体が大きくなる、或いは製造コストが増えるなどの課題があった。
【０００７】
本発明の目的は、上述の問題点を解消し、オートフォーカス機能専用の操作部のないデマンド（操作ユニット）であっても、オートフォーカス機能を操作することが可能なレンズ装置及び自動合焦操作装置並びに撮像装置を提供することである。
【課題を解決するための手段】
【０００８】
上記目的を達成するための本発明に係るレンズ装置は、合焦に際して移動するフォーカスレンズユニットと、合焦状態を検出する合焦状態検出手段とを備え、該合焦状態検出手段の検出結果に基づいて前記フォーカスレンズユニットを駆動する自動合焦機能を有するレンズ装置であって、前記レンズ装置に接続された操作ユニットが、前記自動合焦機能を有効とするか無効とするかを操作する自動合焦操作機能を有するか否かを判別する判別手段と、前記判別手段が、前記操作ユニットが前記自動合焦操作機能を有しないと判別した場合には、前記操作ユニットが有する操作手段に対して、前記自動合焦操作機能を割り当てる割当て手段と、を備えることを特徴とする。
上記目的を達成するための本発明に係る自動合焦操作装置は、合焦に際して移動するフォーカスレンズユニットと、合焦状態を検出する合焦状態検出手段とを備え、該合焦状態検出手段の検出結果に基づいて前記フォーカスレンズユニットを駆動する自動合焦機能を有するレンズ装置に接続される自動合焦操作装置であって、前記自動合焦操作装置に接続された操作ユニットが、前記自動合焦機能を有効とするか無効とするかを操作する自動合焦操作機能を有するか否かを判別する判別手段と、前記判別手段が、前記操作ユニットが前記自動合焦操作機能を有しないと判別した場合には、前記操作ユニットが有する操作手段に対して、前記自動合焦機能を割り当てる割当て手段と、を備えることを特徴とする。
上記目的を達成するための本発明に係る自動合焦操作装置は、合焦に際して移動するフォーカスレンズユニットと、合焦状態を検出する合焦状態検出手段とを備え、該合焦状態検出手段の検出結果に基づいて前記フォーカスレンズユニットを駆動する自動合焦機能を有するレンズ装置に接続される自動合焦操作装置であって、前記自動合焦機能を有効とするか無効とするかを操作する自動合焦操作手段と、前記自動合焦操作装置に接続された操作ユニットが、前記自動合焦機能を有効とするか無効とするかを操作する自動合焦操作機能を有するか否かを判別する判別手段と、を備え、前記判別手段が、前記操作ユニットが前記自動合焦操作機能を有しないと判別した場合には、前記自動合焦操作手段を機能させる、ことを特徴とする。
【発明の効果】
【０００９】
本発明に係るレンズ装置及び自動合焦操作装置並びに撮像装置によれば、自動合焦操作機能のないデマンドを自動合焦レンズに適用できるため、新たに自動合焦操作機能を持つ操作装置を揃える必要がない。
【図面の簡単な説明】
【００１０】
【図１】実施例１のブロック回路構成図である。
【図２】フォーカスデマンドの正面図である。
【図３】動作フローチャート図である。
【図４】図３のステップＳ４の回転端ありの場合の処理フローチャート図である。
【図５】図３のステップＳ４の回転端ありの場合の他の処理フローチャート図である。
【図６】図３のステップＳ６の機能割当処理のフローチャート図である。
【図７】実施例２の構成図である。
【図８】実施例２のブロック回路構成図である。
【図９】自動合焦操作装置の操作部の正面図である。
【図１０】自動合焦操作装置をフォーカスデマンド近傍に設置した構成図である。
【図１１】自動合焦操作装置をズームデマンド近傍に設置した構成図である。
【図１２】自動合焦操作装置をドリー操作部近傍に設置した構成図である。
【図１３】一軸２操作方式のレンズに自動合焦操作装置を適用した構成図である。
【図１４】実施例３の自動合焦操作装置にフォーカスデマンドを組合わせた構成図である。
【図１５】自動合焦操作装置にズームデマンドを組合わせた構成図である。
【図１６】実施例４のブロック回路構成図である。
【図１７】自動合焦操作装置にフォーカスデマンドを組合わせた構成図である。
【図１８】割当機能のフローチャート図である。
【図１９】自動合焦オンオフスイッチによる処理フローチャート図である。
【発明を実施するための形態】
【００１１】
本発明を図示の実施例に基づいて詳細に説明する。
【実施例１】
【００１２】
図１は本実施例１のテレビレンズ装置のブロック回路構成図である。ズームやフォーカス用の可動光学部材を有するレンズ装置１０に、操作ユニットであるフォーカスデマンド（操作手段）２０が接続されている。レンズ装置１０は、被写体の合焦状態を検出する自動合焦検出部（合焦状態検出手段）１３と、この検出結果に基づいて合焦状態を変化させる（被写体にピントを合わせる）ために移動するフォーカスレンズユニットを有する。ここで、レンズ装置１０は、フォーカスレンズユニットを駆動するフォーカス駆動部１２と、自動合焦検出部１３の検出結果に基づいてフォーカス駆動部１２に駆動信号を送信するフォーカス制御部（フォーカス制御手段）１１とを備えている。
【００１３】
レンズ装置１０のデマンド機能判別部（判別手段）１４は、フォーカスデマンド２０が、前述の自動合焦検出部１３の検出結果に基づいてフォーカスレンズユニットを駆動する自動合焦機能を操作する自動合焦操作機能の有無を判別する。ここでは、自動合焦操作指令信号の検出結果やデマンドＩＤの検出などにより自動合焦操作機能判別を行っているが、その他の手段で自動合焦操作機能の判別を行ってもかまわない。なお、ここで云う自動合焦機能の操作とは、自動合焦機能を有効とするか無効とするかの切換えや、自動合焦を行う際のフォーカスレンズユニットの移動速度の切換えや、その他の自動合焦に関連する操作を含んでいる。また、デマンドの種類やフォーカスデマンド２０の操作ノブの回転端の有無なども判別する。
【００１４】
また、レンズ装置１０の機能割当部（割当て手段）１５は、フォーカスデマンド２０が出力する操作指令信号（自動合焦操作機能に関する信号でなくともよい）を自動合焦操作機能の指令信号に割当てる。つまり、フォーカスデマンド２０から送信されてくる操作指令信号を、自動合焦機能の有効／無効を切換える自動合焦操作機能の信号であると解釈し、自動合焦機能の有効／無効の切換え信号としてフォーカス制御部１１に送信する。この結果、自動合焦機能を有効とした場合は、フォーカス制御部１１は自動合焦検出部１３の検出結果に基づくフォーカス制御信号をフォーカス駆動部１２に出力し、フォーカス駆動部１２はフォーカスレンズユニットを駆動する。また、自動合焦機能を無効とした場合は、フォーカス制御部１１は、自動合焦検出部１３の検出結果に拘らず、フォーカス駆動部１２に対してフォーカスレンズユニットを駆動させる旨の制御信号を送信しない。
【００１５】
図２に示すフォーカスデマンド２０はレンズ装置１０に接続されている。フォーカスデマンド２０の表面には、ランプ２１、リターンスイッチ２２、２３が設けられ、側部に操作ノブ２４が回転自在に連結されている。ランプ２１は電源オンオフやイニシャライズの完了を表示し、リターンスイッチ２２、２３はビューファに表示する画像の切換えや、ＶＴＲに対し動作・非動作指令信号を出力する。
【００１６】
図３は上記構成における動作フローチャート図である。レンズ装置１０にフォーカスデマンド２０が接続されると、ステップＳ１でレンズ装置１０のデマンド機能判別部１４はフォーカスデマンド２０が自動合焦操作機能を有するか否かの機能判別を行う。自動合焦操作機能を持つフォーカスデマンド２０であれば、そのままステップＳ２に進み、フォーカスに関する処理を実行する。
【００１７】
具体的にステップＳ２では、レンズ装置１０の自動合焦が無効のときはフォーカスデマンド２０からのフォーカス指令をレンズ装置１０のフォーカス制御部１１に送り、フォーカス駆動部１２を介してフォーカス移動レンズ群を駆動する。そして、自動合焦が有効のときは自動合焦検出部１３からの合焦用の指令信号をフォーカス制御部１１に送信し、フォーカス移動レンズ群を駆動する。
【００１８】
ステップＳ１において、フォーカスデマンド２０が自動合焦操作機能を持たなければステップＳ３に進み、フォーカスデマンド２０の操作ノブ２４の回転端の有無を判別する。操作ノブ２４の回転端の有無に応じて、ステップＳ４の回転端あり処理、或いはステップＳ５の回転端なし処理を実行する。
【００１９】
フォーカスデマンド２０の操作ノブ２４には回転端があって、回転数が規定されているものと、回転端がなく回転数が規定されていないものとがある。回転端があるものは、フォーカス移動レンズ群の全域と操作ノブ２４の回転位置が対応している。自動合焦操作機能を有するレンズ装置１０の場合に、自動合焦によりフォーカス移動レンズ群が動いた場合に、操作ノブ２４の回転位置との対応が崩れるため、手動フォーカス操作を行う場合にはその補正処理が必要となる。
【００２０】
図４は図３のステップＳ４の回転端あり処理における１つの例の処理フローチャート図である。ステップＳ７でフォーカス指令信号がある場合にステップＳ８に進み、ステップＳ８で操作ノブ２４とフォーカス移動レンズ群の位置が一致しているか否かを判定する。そして、操作ノブ２４とフォーカス移動レンズ群の位置が一致した時点から、ステップＳ９によりレンズ駆動の指令信号を出力する。操作ノブ２４を操作し、操作ノブ２４の位置がフォーカス移動レンズ群の位置と一致した時点からフォーカス操作を開始する。
【００２１】
また、図５は図３のステップＳ４における他の処理フローチャート図である。ステップＳ１０でフォーカス指令信号があるとステップＳ１１に進み、フォーカス移動レンズ群を操作ノブ２４の回転位置まで移動させ、その後にステップＳ１２でレンズ駆動の指令信号を出力する。操作ノブ２４を操作すると、一旦フォーカス移動レンズ群が操作ノブ２４の位置まで動き、それからフォーカス操作を開始する。
【００２２】
図３のステップＳ３で、フォーカスデマンド２０の操作ノブ２４に回転端がない場合は、操作ノブ２４とフォーカス移動レンズ群の間に位置関係はない。従って、ステップＳ５では自動合焦によりフォーカス移動レンズ群が移動した後も、フォーカスデマンド２０の指令信号をフォーカス移動レンズ群に加えてフォーカス操作を実行することができる。
【００２３】
次に、図３のステップＳ６の機能割当処理に進み、リターンスイッチ２２、２３に指令信号の自動合焦オンオフ操作などを割当てる。
【００２４】
図６はステップＳ６における機能割当処理のフローチャート図である。ステップＳ１３ではフォーカスデマンド２０が自動合焦操作のどの機能に割当て設定されているかを、レンズ装置１０の機能割当部１５から読み込む。ここでは、フォーカスデマンド２０のリターン機能が自動合焦のオンオフ操作に設定されていることとする。なお、ステップＳ６の処理は図３に示したフローチャート図の位置に限らず、図３の全フローのどこにあってもよい。
【００２５】
ステップＳ１４では、フォーカスデマンド２０におけるリターン指令信号の有無を判定し、リターン指令信号があればステップＳ１５に進み、リターン指令信号（第１操作信号）を自動合焦のオンオフ指令信号（第２操作信号）に変換して出力する。次のステップＳ１６では、フォーカスデマンド２０のランプ２１が自動合焦の有効時に点灯するような指令信号を、フォーカスデマンド２０側に出力する。
【００２６】
その後に、図３のステップＳ２に進み、フォーカス制御が実行される。このように本実施例によれば、自動合焦操作機能を持たないフォーカスデマンド２０であっても、自動合焦操作機能を持つレンズ装置１０の操作を行うことができる。
【００２７】
なお本実施例１では、フォーカスデマンド２０を例に挙げたが、ズームデマンドや他のデマンドでも同様の効果が得られることは勿論である。また、機能割当に使われる機能も、本実施例１ではリターンスイッチや自動合焦のオンオフ操作機能や表示を挙げたが、これに限るものではない。例えば、マイクスイッチを自動合焦の検出範囲の設定変更などに割当てる場合や、エクステンダレンズの選択スイッチを自動合焦のモード切換えに割当てるなど、レンズ、デマンドに搭載される機能の全てについて適用可能である。
【実施例２】
【００２８】
図７は実施例２の構成図であり、レンズ装置３０に自動合焦操作装置４０がケーブル５１、入出力コネクタ５２を介して接続されている。自動合焦操作装置４０には、コネクタ５３、ケーブル５４を介してフォーカスデマンド（操作手段）５５が接続され、或いはケーブル５６を介してズームデマンド（操作手段）５７が接続されている。
【００２９】
自動合焦操作装置４０は自動合焦操作機能を実行するための自動合焦指令信号を出力する。フォーカスデマンド５５はフォーカス操作の指令信号を出力するが、自動合焦操作機能を持っておらず、またズームデマンド５７もズーム操作の指令信号を出力するが、自動合焦操作機能を持っていない。コネクタ５３はケーブル５４又は５６を接続し、フォーカスデマンド５５又はズームデマンド５７からの指令信号を入力する。入出力コネクタ５２はフォーカスデマンド５５又はズームデマンド５７からの指令信号と、自動合焦操作装置４０からの自動合焦操作による指令信号をレンズ装置３０に出力すると共に、レンズ装置３０の合焦状態信号を自動合焦操作装置４０に出力する。
【００３０】
図８はフォーカスデマンド５５を自動合焦操作装置４０に接続した場合のブロック回路構成図であり、図１と同一の部材には同一の符号を付している。レンズ装置３０内には、フォーカス制御部１１、フォーカス駆動部１２、自動合焦検出部１３、ズーム制御部３１、ズーム駆動部３２、絞り制御部３３、絞り駆動部３４が設けられている。
【００３１】
自動合焦操作装置４０内には、図１においてはレンズ装置１０内にあったデマンド機能判別部１４が設けられ、接続されるデマンドの種類、自動合焦操作機能の有無、フォーカスデマンド５５の操作ノブの回転端の有無などを判別している。また自動合焦操作装置４０には、自動合焦操作を行うための自動合焦指令部４１が設けられ、その自動合焦指令信号はデマンド操作指令信号と共にレンズ装置３０に送信される。
【００３２】
図９は自動合焦操作装置４０の操作部の正面図であり、表面にジョイスティック４２、自動合焦のモード切換スイッチ（自動合焦操作手段）４３、自動合焦のオンオフスイッチ（自動合焦操作手段）４４、ランプ４５、自動合焦感度を調整する調整つまみ４６が設けられている。
【００３３】
ジョイスティック４２は自動合焦の検出範囲を示す自動合焦枠の位置を設定し、この自動合焦枠は図示しないモニタ上に表示され、操作者が確認することができる。モード切換スイッチ４３はオンオフスイッチ４４と組み合わせて使用し、パートタイムモードはオンオフスイッチ４４を押している間のみ自動合焦操作機能をオンし、フルタイムモードはオンオフスイッチ４４を押す度に自動合焦のオンオフ状態が切換えられる。オフモードにおいては、オンオフスイッチ４４の操作に拘らず自動合焦操作機能はオフのままとなる。
【００３４】
ランプ４５はレンズ装置３０の合焦状態を表示し、合焦状態で点灯する。調整つまみ４６は被写体の僅かな移動の際にフォーカスが過敏に反応し、不自然な画面にならないように感度を調整する。
【００３５】
操作者はフォーカスデマンド５５又はズームデマンド５７により自動合焦操作装置４０を介してレンズ装置３０を手動操作する。また、操作者は自動合焦操作装置４０を介して自動合焦操作機能により合焦調節を行う。自動合焦操作装置４０は自動合焦指令信号とフォーカスデマンド５５又はズームデマンド５７から指令信号をケーブル５１を介してレンズ装置３０に送信する。これにより、自動合焦操作機能を持たないフォーカスデマンド５５又はズームデマンド５７によるレンズ操作と、自動合焦操作装置４０による自動合焦操作を行うことができる。
【００３６】
図１０〜図１３は実際の運用状態の説明図である。図１０はフォーカスデマンド５５の近傍に自動合焦操作装置４０を設置した状態、図１１はズームデマンド５７の近傍に自動合焦操作装置４０を設置した状態である。図１２はドリー操作部の近傍に自動合焦操作装置４０を設置した状態であり、図１３は一軸２操作方式の操作形態において自動合焦操作装置４０を設置した状態である。
【００３７】
このように本実施例２では、自動合焦操作機能を持たないフォーカスデマンド５５又はズームデマンド５７によって、自動合焦操作装置４０を介して自動合焦機能を持つレンズ装置３０の運用ができる。また、自動合焦操作装置４０は操作者の好みの場所に設置することができる。更に、一軸２操作方式のように、レンズ装置３０の操作形態が異なる場合にも自動合焦機能の操作を実現可能である。
【００３８】
なお本実施例２では、デマンド機能判別部１４は自動合焦操作装置４０内に配置したが、レンズ装置３０側に備えてもよい。また、自動合焦操作機能を有するデマンドが接続された場合に、デマンド機能判別部１４により自動合焦操作機能の種類を判定し、接続されたデマンドにない自動合焦操作機能のみを有効にしてもよい。
【実施例３】
【００３９】
図１４は自動合焦操作装置４０にフォーカスデマンド５５を連結した状態の実施例３の構成図を示し、フォーカスデマンド５５には第１の菊座金具６１が設けられ、中心部に雌ねじが設けられている。自動合焦操作装置４０には第２の菊座金具６２が設けられ、菊座金具６１、６２の中心部に雄ねじが貫通するための孔が設けられている。雄ねじであるクランプねじ６３は第２の菊座金具６２を貫通し、第１の菊座金具６１の雌ねじに螺合することで、自動合焦操作装置４０に対しフォーカスデマンド５５を着脱可能としている。
【００４０】
図１５は自動合焦操作装置４０にズームデマンド５７を連結した例であり、第１の菊座金具６１はズームデマンド５７に固定され、中心部に雌ねじが設けられている。第２の菊座金具６２は自動合焦操作装置４０に固定され、菊座金具６１、６２の中心部に雄ねじが貫通するための孔が設けられている。クランプねじ６３は第１の菊座金具６１を貫通し、第２の菊座金具６２の雌ねじに螺合することで、ズームデマンド５７と自動合焦操作装置４０とを固定する。
【００４１】
このようにして、自動合焦操作装置４０をフォーカスデマンド５５やズームデマンド５７のより近傍に設置できるため、自動合焦に係る操作が行い易くなる。更には、常にデマンドとの結合状態を維持できるため、連結の度に自動合焦操作装置４０の初期操作を行う必要がなくなる。
【実施例４】
【００４２】
図１６は実施例４のブロック回路構成図であり、実施例２の図８と比較して、自動合焦操作装置７０に機能切換部（割当て手段）７１、指令信号変換部（信号変換手段）７２が加えられている。指令信号変換部７２は機能切換部７１により選択された機能に指令信号を変換しレンズ装置３０に出力する。
【００４３】
図１７は自動合焦操作装置７０にフォーカスデマンド５５を連結した状態の構成図を示し、フォーカスデマンド５５のリターンスイッチ２２、２３はビューファに表示する画像の切換えや、ＶＴＲをオンオフするための指令信号を出力する。自動合焦操作装置７０には割当機能選択スイッチ（割当て手段）７３、７４が設けられている。
【００４４】
割当機能選択スイッチ７３はフォーカスデマンド５５のリターンスイッチ２２に自動合焦操作装置７０の自動合焦オンオフスイッチ４４の機能を割当てる。この割当機能選択スイッチ７３がオフを選択している場合には、フォーカスデマンド５５のリターンスイッチ２２の指令信号は、そのままレンズ装置３０に出力される。
【００４５】
しかし、割当機能選択スイッチ７３が自動合焦オンオフ側を選択している場合には、リターンスイッチ２２の指令信号は自動合焦オンオフ機能の指令信号に変換してレンズ装置３０に出力される。割当機能選択スイッチ７４はリターンスイッチ２３に自動合焦操作装置７０のオンオフスイッチ４４の機能を割当てる。
【００４６】
図１８は割当機能のフローチャート図であり、ステップＳ２１でリターンスイッチ２２の指令信号があればステップＳ２２に進み、割当機能選択スイッチ７３によりオンオフスイッチ４４に割当機能選択がされているかどうかを判定する。この場合に、割当機能選択がされていれば、ステップＳ２３で自動合焦オンオフ指令信号を出力し、割当機能選択がされていなければステップＳ２４でリターンスイッチ２２の指令信号を出力する。
【００４７】
次に、ステップＳ２５でリターンスイッチ２３の指令信号があればステップＳ２６に進み、割当機能選択スイッチ７４により割当機能選択がされているかどうかを判定する。この場合に、割当機能選択がされていれば、ステップＳ２７で自動合焦オンオフ指令信号を出力し、選択されていなければステップＳ２８でリターンスイッチ２３の指令信号を出力する。
【００４８】
図１９は自動合焦操作装置７０の自動合焦オンオフスイッチ４４を押した場合のフローチャート図である。ステップＳ３１で自動合焦オンオフの指令信号があればステップＳ３２に進み、リターンスイッチ２２の割当機能選択がされているかを判定する。この場合に、割当機能選択がされていればステップＳ３３でリターンスイッチ２２を出力し、選択されていなければステップＳ３４に進む。
【００４９】
ステップＳ３４では、リターンスイッチ２３の割当機能選択がされているかを判定する。この場合に、割当機能選択がされていればステップＳ３５でリターンスイッチ２３の指令信号を出力し、選択されていなければステップＳ３６で自動合焦オンオフの指令信号を出力する。
【００５０】
本実施例４では、リターン割当選択のリターンスイッチ２２、２３の双方が割当て選択されている場合に、リターンスイッチ２２を優先的に出力する形態としているが、リターンスイッチ２３を優先させてもよいし、双方を出力してもよい。これによれば、フォーカスデマンド５５のリターンスイッチ２２、２３を自動合焦操作機能に割当てることができるため、優先度の高い自動合焦操作機能をより手元に近い場所で操作できる。
【００５１】
なお、本実施例では、割当機能選択に自動合焦オンオフ機能のみを示したが、他の複数の機能を備えてもよい。
【００５２】
また本実施例は、レンズ装置（自動合焦レンズ、ズームレンズ）の例を示したが、上記のようなレンズ装置を含むカメラ（撮像装置）も本実施例を適用可能である。撮像装置としては、カメラ本体に対してレンズ装置の着脱が可能な交換レンズと、カメラ本体との組合せでも支障はないし、カメラ本体とレンズ装置が一体となった撮像装置でも構わない。
【符号の説明】
【００５３】
１０、３０  レンズ装置
１３  自動合焦検出部（合焦状態検出手段）
１４  デマンド機能判別部（判別手段）
１５  機能割当部（割当て手段）
２０、５５  フォーカスデマンド（操作手段）
２４  操作ノブ
４０、７０  自動合焦操作装置
５７  ズームデマンド（操作手段）
７３、７４  割当機能選択スイッチ（割当て手段）
【図１】
0005546318.tif 000002
【図２】
0005546318.tif 000003
【図３】
0005546318.tif 000004
【図４】
0005546318.tif 000005
【図５】
0005546318.tif 000006
【図６】
0005546318.tif 000007
【図７】
0005546318.tif 000008
【図８】
0005546318.tif 000009
【図９】
0005546318.tif 000010
【図１０】
0005546318.tif 000011
【図１１】
0005546318.tif 000012
【図１２】
0005546318.tif 000013
【図１３】
0005546318.tif 000014
【図１４】
0005546318.tif 000015
【図１５】
0005546318.tif 000016
【図１６】
0005546318.tif 000017
【図１７】
0005546318.tif 000018
【図１８】
0005546318.tif 000019
【図１９】
0005546318.tif 000020